(57)【特許請求の範囲】
【請求項１】
アーティスト名を含む第１の音楽ファイルを複数記録する曲情報データベースと、
各第１の音楽ファイルに対し、アルバムジャケットの画像データの上書きを許可するか否かを示す許可データを設定する設定部と、
記録媒体にアルバムジャケットの画像データ及びアーティスト名を含む第２の音楽ファイルが転送された場合に、前記曲情報データベースに記録された全ての第１の音楽ファイルに対し、第１の音楽ファイルのアーティスト名と前記第２の音楽ファイルのアーティスト名とを比較し、比較結果が一致した第１の音楽ファイルに対し、さらに、該第１の音楽ファイルの許可データに基づいて、画像データを上書きすることについて許可されているか否かを判断し、許可されていると判断した場合には、前記第１の音楽ファイルのタグ領域に既にアルバムジャケットの画像データが含まれているか否かに関わらず、前記タグ領域に前記第２の音楽ファイルの画像データを上書きし、許可されていないと判断した場合には、アルバムジャケットの画像データが含まれていない前記第１の音楽ファイルのタグ領域に対して、前記第２の音楽ファイルの画像データを上書きする制御部と、
を有することを特徴とする記録再生装置。
【請求項２】
前記第１の音楽ファイル及び第２の音楽ファイルは、それぞれアーティスト名に代えて、又はアーティスト名と共にアルバム名を含み、
前記制御部は、前記第２の音楽ファイルが転送された場合に、前記曲情報データベースに記録された全ての第１の音楽ファイルに対し、第１の音楽ファイルのアルバム名と前記第２の音楽ファイルのアルバム名とを比較し、比較結果が一致した第１の音楽ファイルに対し、さらに、該第１の音楽ファイルの許可データに基づいて、画像データを上書きすることについて許可されているか否かを判断し、許可されていると判断した場合には、前記第１の音楽ファイルのタグ領域に既にアルバムジャケットの画像データが含まれているか否かに関わらず、前記タグ領域に前記第２の音楽ファイルの画像データを上書きし、許可されていないと判断した場合には、アルバムジャケットの画像データが含まれていない前記第１の音楽ファイルのタグ領域に対して、前記第２の音楽ファイルの画像データを上書きすることを特徴とする請求項１に記載の記録再生装置。
【請求項３】
前記アーティスト名と前記アルバム名との比較、及び前記許可データは、操作部により選択可能であることを特徴とする請求項２に記載の記録再生装置。
【請求項４】
記録媒体にアルバムジャケットの画像データ及びアーティスト名を含む第２の音楽ファイルが転送された場合に、曲情報データベースに記録された第１の音楽ファイルのアーティスト名と前記第２の音楽ファイルのアーティスト名とを比較する比較ステップと、
前記比較ステップによって比較結果が一致した第１の音楽ファイルに対し、さらに、該第１の音楽ファイルのタグ領域に前記第２の音楽ファイルの画像データを上書きすることについて許可されているか否かを判断する判断ステップと、
前記判断ステップによって許可されていると判断した場合には、前記タグ領域に既にアルバムジャケットの画像データが含まれているか否かに関わらず、前記タグ領域に前記第２の音楽ファイルの画像データを上書きし、許可されていないと判断した場合には、アルバムジャケットの画像データが含まれていない前記タグ領域に対して、前記第２の音楽ファイルの画像データを上書きする上書きステップと、
を有することを特徴とする記録再生方法。
【請求項５】
コンピュータに、
記録媒体にアルバムジャケットの画像データ及びアーティスト名を含む第２の音楽ファイルが転送された場合に、曲情報データベースに記録された第１の音楽ファイルのアーティスト名と前記第２の音楽ファイルのアーティスト名とを比較する比較ステップ、
前記比較ステップによって比較結果が一致した第１の音楽ファイルに対し、さらに、該第１の音楽ファイルのタグ領域に前記第２の音楽ファイルの画像データを上書きすることについて許可されているか否かを判断する判断ステップ、
前記判断ステップによって許可されていると判断した場合には、前記タグ領域に既にアルバムジャケットの画像データが含まれているか否かに関わらず、前記タグ領域に前記第２の音楽ファイルの画像データを上書きし、許可されていないと判断した場合には、アルバムジャケットの画像データが含まれていない前記タグ領域に対して、前記第２の音楽ファイルの画像データを上書きする上書きステップ、
を実行させるための制御プログラム。
【発明の詳細な説明】
【技術分野】
【０００１】
本発明は、記録再生方法に関し、特に、画像データを含まない音楽ファイルに画像データを上書きする記録再生技術に関する。
【背景技術】
【０００２】
近年、ＭＰ３（MPEG Audio Layer-3）等の音楽ファイルに音楽データ以外にも、アルバムジャケット等の画像データを付加し、車載用のオーディオ装置や携帯型のオーディオ装置（以下、記録再生装置という。）に形成されるＨＤＤ（Hard Disk Drive）等の記録媒体へ取り込み、記録再生装置等に接続され、または、一体型となった表示装置（ディスプレイ装置）に当該画像データを表示させることが可能となっている。これによって、ユーザは、車内や外出先で音楽を聴くことができると同時に、当該画像データを表示させることができ、再生されている曲名、アーティスト名、アルバム名等を画像として視認することができるようになっている。
【０００３】
これらの画像データは、一般的に音楽ファイルに確保されたＩＤ３タグと呼ばれる文字情報や画像情報等を保存する所定のタグ領域に、ユーザがパーソナルコンピュータ（以下、ＰＣという。）等によって音楽ファイルごとに上書きし、記録することが知られている。特に、ＩＤ３タグ、バーション２．ｘにおいては、音楽ファイルの先頭に、最大２５６ＭＢ（メガバイト）の領域が使用可能であることが知られている。
【０００４】
このような方法によって、音楽ファイルの再生及び画像データの表示を行うと、記録再生装置等は、図８に示すフローチャートに従って処理をする。すなわち、音楽ファイルを再生し（Ｓ２０１）、当該音楽ファイルのＩＤ３タグ領域に画像データが含まれている場合には（Ｓ２０２：Ｙｅｓ）、表示装置に画像データを表示するが（Ｓ２０３）、画像データが含まれていない場合には（Ｓ２０２：Ｎｏ）、表示装置に画像データを表示しない（Ｓ２０４）というものである。
【０００５】
例えば、特許文献１に開示される記録再生装置では、映像を含まないＣＤ（Compact Disk）等に記録される音楽コンテンツを再生する際に、再生する音楽に関連する映像を自動的に再生するために、ＣＤのＴＯＣ情報（Table of contents）に基づいて、曲情報データベース１１を参照してＣＤの収録曲に関連する情報を検索し、メモリ１２に曲リストを記憶し、ディジタル放送受信部１００から入力される情報データに基づいて、メモリ１２の曲リストに関連する映像放送を受信させて、映像データを記録装置に記録し、ＣＤの曲の再生指示があった場合、記録装置７から関連映像データを再生し、ディスプレイ装置４００へ映し出すようにしている。
【特許文献１】特開２００３−２８１８６２号公報
【発明の開示】
【発明が解決しようとする課題】
【０００６】
上述したように、ＩＤ３タグ領域に画像データが含まれていない場合には、音楽ファイルを再生しても、ディスプレイ装置には画像データが表示されないという問題点がある。そして、この問題点を解消するためには、ＰＣ等で個々の音楽ファイルごとに、個別に画像データを付加すればよいが、ユーザにとってはそのような作業に煩わしさを感じる場合があり、また、場合によっては、画像データを有するＰＣ以外の別の記録媒体を確保する必要もある。特に、別の記録媒体を使用した場合には、必要な画像データを検索し、取り込むという処理をするための時間もかかってしまう。
【０００７】
また、特許文献１に開示される記録再生装置では、ＣＤのＴＯＣ（Ｔａｂｌｅ
Ｏｆ  Ｃｏｎｔｅｎｔｓ）情報に基づいて解決しているが、ＭＰ３等の音楽ファイルにはそのようなＴＯＣ情報が含まれていないという問題がある。さらに、ＣＤ等の記録媒体以外にもミニディスク、半導体メモリカード、ハードディスク等の記録媒体にも適用可能と記載されているものの、その具体的手段は開示されていない。
【０００８】
本発明は上述した問題点に鑑みてなされたものであり、画像データを含まないＭＰ３等の音楽ファイルを再生した場合に、当該音楽ファイルに関連する画像データを自動的に上書きし、ディスプレイ装置に表示する記録再生方法、記録再生装置及び制御プログラムを提供することを目的とする。
【課題を解決するための手段】
【０００９】
上記課題を解決するために、本発明の記録再生装置は、アーティスト名を含む第１の音楽ファイルを複数記録する曲情報データベースと、各第１の音楽ファイルに対し、アルバムジャケットの画像データの上書きを許可するか否かを示す許可データを設定する設定部と、記録媒体にアルバムジャケットの画像データ及びアーティスト名を含む第２の音楽ファイルが転送された場合に、曲情報データベースに記録された全ての第１の音楽ファイルに対し、第１の音楽ファイルのアーティスト名と第２の音楽ファイルのアーティスト名とを比較し、比較結果が一致した第１の音楽ファイルに対し、さらに、該第１の音楽ファイルの許可データに基づいて、画像データを上書きすることについて許可されているか否かを判断し、許可されていると判断した場合には、第１の音楽ファイルのタグ領域に既にアルバムジャケットの画像データが含まれているか否かに関わらず、タグ領域に第２の音楽ファイルの画像データを上書きし、許可されていないと判断した場合には、アルバムジャケットの画像データが含まれていない第１の音楽ファイルのタグ領域に対して、第２の音楽ファイルの画像データを上書きする制御部と、を有することを特徴とする。
【００１０】
本発明によれば、設定条件によって、画像データが含まれない音楽ファイル群に画像データを割当てることが可能となり、ユーザによる画像データの割り当て作業を軽減することができる。
【００１１】
また、本発明の記録再生装置は、上記構成において、第１の音楽ファイル及び第２の音楽ファイルは、それぞれアーティスト名に代えて、又はアーティスト名と共にアルバム名を含み、制御部は、第２の音楽ファイルが転送された場合に、曲情報データベースに記録された全ての第１の音楽ファイルに対し、第１の音楽ファイルのアルバム名と第２の音楽ファイルのアルバム名とを比較し、比較結果が一致した第１の音楽ファイルに対し、さらに、該第１の音楽ファイルの許可データに基づいて、画像データを上書きすることについて許可されているか否かを判断し、許可されていると判断した場合には、第１の音楽ファイルのタグ領域に既にアルバムジャケットの画像データが含まれているか否かに関わらず、タグ領域に第２の音楽ファイルの画像データを上書きし、許可されていないと判断した場合には、アルバムジャケットの画像データが含まれていない第１の音楽ファイルのタグ領域に対して、第２の音楽ファイルの画像データを上書きすることを特徴とする。
【００１２】
また、本発明の記録再生装置は、アーティスト名とアルバム名との比較、及び許可データは、操作部により選択可能であることを特徴とする。
【００１３】
また、本発明の記録再生方法は、記録媒体にアルバムジャケットの画像データ及びアーティスト名を含む第２の音楽ファイルが転送された場合に、曲情報データベースに記録された第１の音楽ファイルのアーティスト名と第２の音楽ファイルのアーティスト名とを比較する比較ステップと、比較ステップによって比較結果が一致した第１の音楽ファイルに対し、さらに、該第１の音楽ファイルのタグ領域に第２の音楽ファイルの画像データを上書きすることについて許可されているか否かを判断する判断ステップと、判断ステップによって許可されていると判断した場合には、タグ領域に既にアルバムジャケットの画像データが含まれているか否かに関わらず、タグ領域に第２の音楽ファイルの画像データを上書きし、許可されていないと判断した場合には、アルバムジャケットの画像データが含まれていないタグ領域に対して、第２の音楽ファイルの画像データを上書きする上書きステップと、を有することを特徴とする。本発明によれば、設定条件によって、画像データが含まれない音楽ファイル群に画像データを割り当てることが可能となり、ユーザによる画像データの割り当て作業を軽減することができる。
【００１４】
また、本発明の制御プログラムは、コンピュータに、記録媒体にアルバムジャケットの画像データ及びアーティスト名を含む第２の音楽ファイルが転送された場合に、曲情報データベースに記録された第１の音楽ファイルのアーティスト名と第２の音楽ファイルのアーティスト名とを比較する比較ステップ、比較ステップによって比較結果が一致した第１の音楽ファイルに対し、さらに、該第１の音楽ファイルのタグ領域に第２の音楽ファイルの画像データを上書きすることについて許可されているか否かを判断する判断ステップ、判断ステップによって許可されていると判断した場合には、タグ領域に既にアルバムジャケットの画像データが含まれているか否かに関わらず、タグ領域に第２の音楽ファイルの画像データを上書きし、許可されていないと判断した場合には、アルバムジャケットの画像データが含まれていないタグ領域に対して、第２の音楽ファイルの画像データを上書きする上書きステップ、を実行させることを特徴とする。本発明によれば、設定条件によって、画像データが含まれない音楽ファイル群に画像データを割当てることが可能となり、ユーザによる画像データの割り当て作業を軽減することができる。
【発明の効果】
【００１５】
本発明に係る記録再生方法によれば、音楽ファイル群に画像データが含まれていない音楽ファイルが存在する場合であっても、外部から転送された音楽ファイルの画像データを、設定されたアーティスト名やアルバム名を基準に、音楽ファイルの所定のタグ領域（例えば、ＩＤ３タグ領域）に画像データを上書きすることができ、従来ユーザがＰＣ等によって個別的に画像データを音楽ファイルに上書きしていた作業を軽減することができる。
【００１６】
さらに、音楽ファイル内に自動的に画像データを付加するため、画像データの上書き作業に要していた他の別の記録媒体を使用する必要もなく、さらには、別の記録媒体から画像データを検索処理する時間が不要となるため、画像表示するまでにかかる時間が早くなるという効果がある。
【発明を実施するための最良の形態】
【００１７】
以下、本発明の実施の形態について、図面を参照して具体的に説明する。
【００１８】
図１は、本発明の実施の形態に係る記録再生装置１のブロック図である。図１に示すように、記録再生装置１は、ＰＣ３等から転送される音楽ファイルを記録する記録媒体５（以下、ＨＤＤ（Hard Disk Drive）という。）と、音楽ファイル群が予め記録されている曲情報データベース７と、音楽ファイルや音楽ファイル群に含まれるデータを記憶する半導体メモリ等の記憶部９と、これらのデータに基づき画像データを上書きする画像処理部１１と、上書条件を設定する操作部１３と、これら各部を制御する制御部１５とを有している。なお、音楽ファイルは、アーティスト名、アルバム名、画像などの各データを含み、さらに音声等のデータも含むファイルである。また、後述する各機能ブロックや処理は、ＣＰＵ等の処理装置あるいはそこで実行されるプログラム、およびハードディスクや半導体メモリ等の記憶装置により実現される。
【００１９】
上述したように形成される記録再生装置１において、例えば、ユーザが記録再生装置１に音楽ファイルを転送する場合、転送された音楽ファイルは、まず、記録再生装置１内のＨＤＤ５に記録される。次に、制御部１５は、ＨＤＤ５に記録されている音楽ファイルと、ユーザが操作部１３によって設定した上書条件とから、曲情報データベース７に記録されている音楽ファイル群の音楽ファイルを抽出し、記憶部９に記憶する。
【００２０】
画像処理部１１は、制御部１５からの指示に基づき、記憶部９に記憶された音楽ファイルと操作部１３からの設定条件とから、画像データの上書き処理を行う。その後、制御部１５は、画像データの上書きがなされた音楽ファイルのうち、当該音楽ファイルに含まれる音声データを増幅部１７へ出力し、当該音声データは増幅部１７で増幅された後、スピーカ装置１９から音声として出力される。また、画像データの上書きがなされた音楽ファイルのうち、当該音楽ファイルに含まれる画像データはディスプレイ装置２１から画像として出力される。
【００２１】
さらに上述した内容について、図面を参照して詳細に説明する。
【００２２】
図２は、曲情報データベース７に予め記録されている音楽ファイル群及びそれらに上書きされているアーティスト名、アルバム名、画像などの各種データを示すテーブルである。また、図３は、本発明の実施の形態にかかる画像処理部１１の記録再生方法の動作を示すフローチャートである。
【００２３】
図２に示すように、曲情報データベース７にはＦｉｌｅ１からＦｉｌｅ８までの音楽ファイルが記録され、例えば、Ｆｉｌｅ１には、アーティスト名：Ｂ、アルバム名：Ｃ、画像データ：無し、というように、各音楽ファイルに各種データがそれぞれ記録されている。なお、音楽ファイルのファイル数もテーブルに限定されるものではない。
【００２４】
このような、音楽ファイル群が記録されている曲情報データベース７に、例えば、アーティスト名：Ａ、アルバム名：Ａ、画像データ：有り、というデータを含む音楽ファイル：Ｆｉｌｅ９がユーザの操作によってＰＣ３から転送された場合について、図３に示すフローチャートを参照しながら説明する。
【００２５】
ＰＣ３から音楽ファイル：Ｆｉｌｅ９の転送をする処理が行われると、当該音楽ファイルはＨＤＤ５に記録される（Ｓ１０１）。なお、当該転送の処理は、有線、無線を問わず行うことができる。
【００２６】
音楽ファイルがＨＤＤ５に記録された後、ユーザによって設定されたアーティスト名やアルバム名などの第１のキー項目を確認する（Ｓ１０２）。ユーザから設定された第１のキー項目が「アーティスト名」である場合には（Ｓ１０３：Ｙｅｓ）、以降の処理は「アーティスト名」に基づいて行われる。また、ユーザから設定されたキー項目が「アーティスト名」でなく、「アルバム名」である場合には（Ｓ１０３：Ｎｏ、Ｓ１０４：Ｙｅｓ）、以降の処理は「アルバム名」に基づいて行われる。なお、ユーザから設定されたキー項目が「アーティスト名」でなく、また、「アルバム名」でもない場合（Ｓ１０３：Ｎｏ、Ｓ１０４：Ｎｏ）には、例えば、キー項目が設定されていない旨のアラームをディスプレイ装置２１に表示させ、再度キー項目の設定をユーザに促したり（Ｓ１０２）、処理を終了させることも可能である。
【００２７】
以下、第１のキー項目が「アーティスト名」である場合についての処理フローを説明する。
【００２８】
上述したように、キー項目が「アーティスト名」である場合には、（Ｓ１０３：Ｙｅｓ）、予め曲情報データベース７に記録されている音楽ファイル群のうち、ＨＤＤ５に記録された音楽ファイルのアーティスト名と同一のアーティスト名の音楽ファイルを検索する（Ｓ１０５）。検索した結果、同一のアーティスト名が抽出されなかった場合には（Ｓ１０６：Ｎｏ）、画像データ上書き処理は終了する。
【００２９】
一方で、同一のアーティスト名の音楽ファイルが抽出された場合には（Ｓ１０６：Ｙｅｓ）、当該検索結果として抽出された音楽ファイル（以下、抽出音楽ファイルという。）が記憶部９に記憶される（Ｓ１０７）。具体的には、図１に示す音楽ファイル群が予め曲情報データベース７記録されている状況下において、音楽ファイル：Ｆｉｌｅ９のアーティスト名が「Ａ」であるため、図４に示すように、音楽ファイル：Ｆｉｌｅ４とＦｉｌｅ８が抽出され、記憶部９に記憶される。なお、図４に示すテーブルにおいて、抽出音楽ファイルには、ハッチングを付すこととし、以降、図５から図７においても同様とする。
【００３０】
次に、抽出音楽ファイルに画像データが含まれているか否かを判断する（Ｓ１０８）。画像データが含まれていない場合には（Ｓ１０８：Ｎｏ）、ＨＤＤ５に記録されている音楽ファイルの画像データを、抽出音楽ファイルの所定のタグ領域であるＩＤ３タグ領域に上書き処理をする（Ｓ１１０）。具体的には、図４に示すように、抽出音楽ファイル：Ｆｉｌｅ４、Ｆｉｌｅ８のうち、画像データを含まないＦｉｌｅ８については、当該処理によって入力された音楽ファイル：Ｆｉｌｅ９の画像データが上書きされる。
【００３１】
さらに、抽出音楽ファイルに画像データが含まれている場合（Ｓ１０８：Ｙｅｓ）、ユーザから設定された第２のキー項目である上書きの許可／不許可によって判断される（Ｓ１０９）。すなわち、ユーザから設定された上書きの許可／不許可が「許可」とされている場合には（Ｓ１０９：Ｙｅｓ）、ＨＤＤ５に記録されている音楽ファイルの画像データを、抽出音楽ファイルのＩＤ３タグ領域に上書きする（Ｓ１１０）。換言すれば、抽出音楽ファイル：Ｆｉｌｅ４、Ｆｉｌｅ８に画像データが含まれていても、含まれていなくても、Ｆｉｌｅ４、Ｆｉｌｅ８のそれぞれの画像データは音楽ファイル：Ｆｉｌｅ９の画像データによって上書きされる。これらの結果は、図４に示すテーブルの上書き対象「○」によって表される。
【００３２】
一方で、ユーザから設定された上書き許可／不許可が「不許可」とされている場合には（Ｓ１０９：Ｎｏ）、ＨＤＤ５に記録されている音楽ファイルの画像データを、抽出音楽ファイルのＩＤ３タグ領域に上書きせずに処理を終了する。すなわち、図５に示すように、抽出された音楽ファイル：Ｆｉｌｅ４、Ｆｉｌｅ８のうち、画像データを含まないＦｉｌｅ８についてのみ、当該処理によって、音楽ファイル：Ｆｉｌｅ９の画像データが上書きされることとなる。この結果については、図５に示すテーブルの上書き対象「○」によって表される。
【００３３】
上述した実施の形態では、第１のキー項目が「アーティスト名」の場合について説明したが、第１のキー項目が「アルバム名」の場合についても図３に示すＳ１１１からＳ１１６の処理を行うことで、第１のキー項目が「アーティスト名」の場合と同一の効果を得ることができる。
【００３４】
例えば、第２のキー項目である上書き処理が「許可」と設定された状況下において、転送された音楽ファイル：Ｆｉｌｅ９のアルバム名が「Ａ」である場合には、図６に示すように、音楽ファイル群からアルバム名が「Ａ」である音楽ファイル：Ｆｉｌｅ４を抽出し、音楽ファイル：Ｆｉｌｅ９に含まれる画像データを音楽ファイル：Ｆｉｌｅ４の画像データに上書きされる。
【００３５】
一方で、第２のキー項目である上書き処理が「不許可」と設定された状況下において、外部から転送された音楽ファイル：Ｆｉｌｅ９のアルバム名が「Ａ」である場合には、図７に示すように、音楽ファイル群からアルバム名が「Ａ」である音楽ファイル：Ｆｉｌｅ４を抽出するが、上書き処理が「不許可」と設定されているため、画像データは上書きされないこととなる。
【００３６】
さらに、本発明は、上述した実施形態に限定されるものではなく、その要旨を逸脱しない範囲内で種々変形して実施することが可能である。
【産業上の利用可能性】
【００３７】
以上、説明したように、本発明に係る記録再生方法によれば、音楽ファイルに画像データが含まれていない場合であっても、入力された音楽ファイルのアーティスト名やアルバム名を基準に、音楽ファイルに画像データを上書きすることができ、産業上の利用可能性が高い。
【図面の簡単な説明】
【００３８】
【図１】本発明の実施の形態に係る記録再生装置のブロック図である。
【図２】記録媒体に記録されている音楽ファイル群のテーブルである。
【図３】本発明の実施の形態に係る画像データ記録再生方法のフローチャートである。
【図４】第１のキー項目を「アーティスト名」とした際、検索により抽出された音楽ファイルを示すテーブルの一例である。
【図５】第１のキー項目を「アーティスト名」とした際、検索により抽出された音楽ファイルを示すテーブルの他の例である。
【図６】第１のキー項目を「アルバム名」とした際、検索により抽出された音楽ファイルを示すテーブルの一例である。
【図７】第１のキー項目を「アルバム名」とした際、検索により抽出された音楽ファイルを示すテーブルの他の例である。
【図８】従来の画像データ表示方法のフローチャートである。
【符号の説明】
【００３９】
１  記録再生装置
３  ＰＣ
５  ＨＤＤ
７  曲情報データベース
９  記憶部
１１  画像処理部
１３  操作部
１５  制御部
１７  増幅部
１９  スピーカ装置
２１  ディスプレイ装置
【図１】
0004555246.tif 000002
【図２】
0004555246.tif 000003
【図３】
0004555246.tif 000004
【図４】
0004555246.tif 000005
【図５】
0004555246.tif 000006
【図６】
0004555246.tif 000007
【図７】
0004555246.tif 000008
【図８】
0004555246.tif 000009